(57)【要約】【課題】画像読取部が画像形成部に対して開放する方向に反っていても、画像読取部の画像形成部に対する開放方向位置を矯正して反りによる影響を軽減させ、画像読取部の画像読取誤差を減少させる。【解決手段】シザースリンクユニット１０９，１１０を、ヒンジ部１０７，１０８の両端とロック機構１０に囲まれた三角の仮想領域内（鎖線ａの範囲内）Ａに位置するように設け、閉じ位置にある画像読取装置の重心１３４の位置を、三角の仮想領域外（鎖線ａの範囲外）に位置するように設け、画像読取装置突き当て部材１３５を、三角の仮想領域外（鎖線ａの範囲外）であって、ロック機構１０に対して画像読取装置の重心１３４がある側（二点鎖線ｂよりも左側）に設ける。【選択図】図５
2008241916.tif 000002
【特許請求の範囲】
【請求項１】
記録材に画像を形成する画像形成部と、
前記画像形成部の上部に配置され、原稿を読取る画像読取部と、
前記画像読取部を前記画像形成部に対して回転可能に支持することにより、前記画像読取部を前記画像形成部に対して開閉可能とする複数の回転支持部と、
前記画像読取部を前記画像形成部に対して閉じ位置でロックするロック手段と、
前記ロック手段によるロックが解除された場合に、該閉じ位置にある前記画像読取部を前記画像形成部に対して開放させる開放手段と、
該閉じ位置において前記画像形成部に対する前記画像読取部の開閉方向の位置決めを行う位置決め手段と、
を備えた画像形成装置において、
前記開放手段は、前記複数の回転支持部の回転軸方向において前記複数の回転支持部のうち両端に位置する２つの回転支持部における該回転軸方向外側の端部と前記ロック手段との３箇所を結んで形成される仮想領域内に位置するように設けられ、
該閉じ位置にある前記画像読取部の重心は、該仮想領域外に位置し、
前記位置決め手段は、前記回転支持部の回転軸に直交し前記ロック手段を通る仮想線に対して、該閉じ位置にある前記画像読取部の重心が位置する側であって、該仮想領域外に位置するように設けられていることを特徴とする画像形成装置。
【請求項２】
記録材に画像を形成する画像形成部と、
前記画像形成部の上部に配置され、原稿を読取る画像読取部と、
前記画像読取部を前記画像形成部に対して回転可能に支持することにより、前記画像読取部を前記画像形成部に対して開閉可能とする回転支持部と、
前記画像読取部を前記画像形成部に対して閉じ位置でロックするロック手段と、
前記ロック手段によるロックが解除された場合に、該閉じ位置にある前記画像読取部を前記画像形成部に対して開放させる開放手段と、
該閉じ位置において前記画像形成部に対する前記画像読取部の開閉方向の位置決めを行う位置決め手段と、
を備えた画像形成装置において、
前記開放手段は、前記回転支持部の回転軸方向における前記回転支持部の両端部と前記ロック手段との３箇所を結んで形成される仮想領域内に位置するように設けられ、
該閉じ位置にある前記画像読取部の重心は、該仮想領域外に位置し、
前記位置決め手段は、前記回転支持部の回転軸に直交し前記ロック手段を通る仮想線に対して、該閉じ位置にある前記画像読取部の重心が位置する側であって、該仮想領域外に位置するように設けられていることを特徴とする画像形成装置。
【請求項３】
前記回転支持部は、前記画像形成部及び前記画像読取部のうちいずれか一方に設けられた軸部材と、前記画像形成部及び前記画像読取部のうちいずれか他方に設けられ前記軸部材を回転可能に支持する軸受け部材とを有し、
前記複数の回転支持部のうち少なくとも１つの回転支持部における軸受け部材には、前記画像形成部に対して前記画像読取部に反りが生じた場合に、前記軸受け部材に対して軸部材が相対的に移動することができる移動部が設けられていることを特徴とする請求項１に記載の画像形成装置。
【請求項４】
前記移動部は、画像形成装置が設置された場合の水平方向の位置決めを行い、画像形成装置が設置された場合の鉛直方向において前記軸受け部材に対して前記軸部材の相対的な移動を可能とする長穴形状の穴であることを特徴とする請求項３に記載の画像形成装置。
【請求項５】
前記画像読取部の下面は、記録材の搬送路を構成していることを特徴とする請求項１乃
至４のいずれか１項に記載の画像形成装置。
【請求項６】
前記位置決め手段の近傍には、前記画像読取部のアースをとるための接点が設けられていることを特徴とする請求項１乃至５のいずれか１項に記載の画像形成装置。
【発明の詳細な説明】
【技術分野】
【０００１】
本発明は、原稿の画像を読み取る機能と、シート等の記録媒体（記録材）上に画像を形成する機能とを備えた画像形成装置に関するものである。
【背景技術】
【０００２】
ファクシミリ・複写機、又はファクシミリ・複写機・プリンタとしての機能を併せ持つ複合機（ＭＦＰ）において、設置面積の省スペース化及び、画像読取装置と画像形成装置との突き当てを保証する技術が知られている（特許文献１参照）。
【０００３】
この従来の技術によれば、図８に示すように、原稿を読取る為の画像読取装置（画像読取部）２０１を画像形成装置（画像形成部）２０２の上部に設けている。そして、画像読取装置２０１と画像形成装置２０２の間の排出積載空間部２０３に画像形成装置２０２から記録材を排出積載される空間を設けることによって、省スペース化を達成している。
【０００４】
上述した構成の場合には、図９に示すように、画像形成装置２０２のメンテナンス或いは、排出積載された記録材Ｐを取り出し易くするために、画像読取装置２０１と画像形成装置２０２を開閉自在に連結する必要がある。
【０００５】
そこで、画像読取装置２０１と画像形成装置２０２とを開閉自在に連結する為に、回転支持部材２１５，２１６を設けている。そして、画像形成装置２０２に対して画像読取装置２０１をロックする凹部２３３を右側一端部のみに設け、その凹部２３３の引っ掛けであるロック部材２３１も画像形成装置２０２の右側一端部のみに設ける。
【０００６】
また、画像形成装置２０２のロックレバー２４０の設けられた右側にはポップアップバネとして圧縮バネ２５１が設けられ、画像読取装置２０１の右側底面には圧縮バネ２５１を受ける座面２５０が設けられている。
【０００７】
これにより、ロック解除ボタン部２４０ａを押すと画像読取装置２０１は所定の量まで開く構成となっている。
【０００８】
上記構成において、画像読取装置２０１が閉じた状態においては、ロックレバー２４０は画像形成装置２０２の右側のみに設けられている。このことで、画像読取装置２０１の単体の上方向への反りにより、画像読取装置２０１の左側が画像形成装置２０２から浮く状態が発生する。
【０００９】
そこで、上述したように画像形成装置２０２の右側のみ圧縮バネ２５１を設け、画像読取装置２０１の筐体を右側底面から押し上げて、画像形成装置２０２の左側に押し付ける力を作用させる。このことで画像読取装置２０１と画像形成装置２０２との突き当てを保証している。
【特許文献１】特開２００５−３０１１５４号公報
【発明の開示】
【発明が解決しようとする課題】
【００１０】
しかしながら、上述した従来の技術においては、以下に述べるような課題があった。
【００１１】
近年の複合機（ＭＦＰ）は、サポート記録材サイズの拡大と、また、画像読取時のユーザビリティを向上させる為に、製品の高さを低く抑える事が必要とされている。
【００１２】
そのためには、画像読取装置の幅と奥行きを広げ、また、画像読取装置の厚さを薄くする必要がある。その結果、画像読取装置は反りやすくなる。
【００１３】
画像読取装置に上方向（開放方向）の反りがある場合には、画像形成装置に対して、画像読取装置１の左側が突き当たらず、画像読取装置のフレームが歪んだままとなり、画像読取誤差が発生する可能性があるという課題があった。
【００１４】
本発明は上記した事情に鑑みてなされたものであり、画像読取部が画像形成部に対して開放する方向に反っていても、画像読取部の画像形成部に対する開放方向位置を矯正して反りによる影響を軽減させ、画像読取部の画像読取誤差を減少させることを目的とする。
【課題を解決するための手段】
【００１５】
上記目的を達成するために本発明にあっては、
記録材に画像を形成する画像形成部と、
前記画像形成部の上部に配置され、原稿を読取る画像読取部と、
前記画像読取部を前記画像形成部に対して回転可能に支持することにより、前記画像読取部を前記画像形成部に対して開閉可能とする複数の回転支持部と、
前記画像読取部を前記画像形成部に対して閉じ位置でロックするロック手段と、
前記ロック手段によるロックが解除された場合に、該閉じ位置にある前記画像読取部を前記画像形成部に対して開放させる開放手段と、
該閉じ位置において前記画像形成部に対する前記画像読取部の開閉方向の位置決めを行う位置決め手段と、
を備えた画像形成装置において、
前記開放手段は、前記複数の回転支持部の回転軸方向において前記複数の回転支持部のうち両端に位置する２つの回転支持部における該回転軸方向外側の端部と前記ロック手段との３箇所を結んで形成される仮想領域内に位置するように設けられ、
前記閉じ位置にある前記画像読取部の重心は、該仮想領域外に位置し、
前記位置決め手段は、前記回転支持部の回転軸に直交し前記ロック手段を通る仮想線に対して、該閉じ位置にある前記画像読取部の重心が位置する側であって、該仮想領域外に位置するように設けられていることを特徴とする。
【００１６】
また、記録材に画像を形成する画像形成部と、
前記画像形成部の上部に配置され、原稿を読取る画像読取部と、
前記画像読取部を前記画像形成部に対して回転可能に支持することにより、前記画像読取部を前記画像形成部に対して開閉可能とする回転支持部と、
前記画像読取部を前記画像形成部に対して閉じ位置でロックするロック手段と、
前記ロック手段によるロックが解除された場合に、該閉じ位置にある前記画像読取部を前記画像形成部に対して開放させる開放手段と、
該閉じ位置において前記画像形成部に対する前記画像読取部の開閉方向の位置決めを行う位置決め手段と、
を備えた画像形成装置において、
前記開放手段は、前記回転支持部の回転軸方向における前記回転支持部の両端部と前記ロック手段との３箇所を結んで形成される仮想領域内に位置するように設けられ、
該閉じ位置にある前記画像読取部の重心は、該仮想領域外に位置し、
前記位置決め手段は、前記回転支持部の回転軸に直交し前記ロック手段を通る仮想線に対して、該閉じ位置にある前記画像読取部の重心が位置する側であって、該仮想領域外に位置するように設けられていることを特徴とする。
【発明の効果】
【００１７】
本発明によれば、画像読取部が画像形成部に対して開放する方向に反っていても、画像読取部の画像形成部に対する開放方向位置を矯正して反りによる影響を軽減させ、画像読取部の画像読取誤差を減少させることが可能となる。
【発明を実施するための最良の形態】
【００１８】
以下に図面を参照して、この発明を実施するための最良の形態を例示的に詳しく説明する。ただし、この実施の形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。
【実施例１】
【００１９】
以下、図１〜図６に基づいて実施例１を説明する。
【００２０】
図１は、本発明を適用できる画像形成装置（ＭＦＰ）の正面方向断面図である。画像形成装置（ＭＦＰ）は、画像読取装置（画像読取部）１と画像形成装置（画像形成部）２とを備えている。
【００２１】
まず、画像読取装置１と画像形成装置２の連結に関する説明をする。
【００２２】
図１に示すように、画像形成装置２の上部（上方）に画像読取装置１を配置している。
【００２３】
画像読取装置１は、フラットベット式の画像読取装置であり、原稿読取面を上面に有し画像読取手段１０１が格納されたベース部１ａに対して開閉自在に原稿圧板１ｂを設けたものである。原稿圧板１ｂには原稿給送装置１０２や原稿積載部１０３が設けられている。
【００２４】
原稿圧板１ｂとベース部１ａの間の静止した原稿に対して、画像読取手段１０１は図示しないレール（移動機構）に沿って動く事で原稿の読取を行う。
【００２５】
そのため、レールの位置を決めているベース部１ａの平面度を保証することによって、読取精度を向上させることができる。
【００２６】
また、後ほど詳しく述べるが、画像読取装置１の下面、すなわちベース部１ａの下面は、画像形成装置２で画像を形成された記録材の両面スイッチバック時の反転搬送路１０４となっている。
【００２７】
また、画像形成装置２と画像読取装置１の隙間が狭いので、反転搬送路１０４及び、排出部１０６までの中間搬送路１０５の間で記録材がジャムした場合にジャムした記録材Ｓを取り除くことができない。よって、画像読取装置１を画像形成装置２に対して、開閉可能な構成としている。
【００２８】
図２は画像読取装置１を開いたときの斜視図を示している。
【００２９】
図２に示すように、画像読取装置１は、画像形成装置２の上部後端に配置された回転支持部としてのヒンジ部１０７，１０８を中心として、画像形成装置２に対して回転（回動）可能に支持されている。画像読取装置１が回転することで、画像形成装置２の上部が開閉される。
【００３０】
画像読取装置１の開動作を行う機構（開放手段）として、第一のシザースリンクユニット１０９及び第二のシザースリンクユニット１１０が、画像読取装置１と画像形成装置２
の間に設けられている。
【００３１】
次に、第一のシザースリンクユニット１０９について詳しく説明する。なお、第二のシザースリンクユニット１１０は、第一のシザースリンクユニット１０９と比べて大きさとバネの力が異なるだけで構成としては同じなので、説明は割愛する。
【００３２】
図３はシザースリンクユニット１０９の拡大図である。
【００３３】
図３に示すように、シザースリンクユニット１０９は、第一の腕１１１と第二の腕１１２をリンク軸１１３で所定の角度内で回転自在に連結して形成されている。
【００３４】
リンク軸１１３には、画像読取装置１を上方向に付勢する（画像形成装置２に対して画像読取装置１を開放させる）手段である捩じりコイルバネ１１４が設けられており、第一の腕１１１と第二の腕１１２を開く方向に付勢している。
【００３５】
第一の腕１１１は、端部に回転軸１１５を形成しており、回転軸１１５がベース部１ａに回転可能に嵌め込まれている。
【００３６】
第二の腕１１２は、端部に回転軸１１６を形成しており、回転軸１１６が画像形成装置２側に設けたシザースリンク台１１７に回転可能に嵌め込まれている。これにより、第一の腕１１１は画像読取装置１に対して回転可能になっており、第二の腕１１２は画像形成装置２に対して回転可能になっている。
【００３７】
上記のように構成することで、画像読取装置１の開閉に合わせて第一の腕１１１と第二の腕１１２は回転可能になる。
【００３８】
また、第一の腕１１１が、第二の腕１１２の壁面で構成された図示しないストッパーに突き当たる事で画像読取装置１の開き角度が規制される。
【００３９】
本実施例では、シザースリンクユニット１０９，１１０から付勢される画像読取装置１を上方向（開放する方向）へ押上げる力の総和を、各捩じりコイルバネのバネ力を調整し、画像読取装置１の荷重による閉じる力よりも大きくしている。そのように構成することで、後述するロック機構を解除した場合に、ユーザが画像読取装置１を持ち上げること無く、所定の開き角度まで自動で開く構成になっている。
【００４０】
次に、図４を用いてロック機構（ロック手段）１０について説明する。
【００４１】
図４は、画像読取装置１が画像形成装置２に対して閉められた閉じ位置に位置する状態において、画像読取装置１の底面に設けられたフック部１１８にロックレバー１１９が当接し、画像読取装置１の開く動作がロックされた状態の断面図である。ここで、フック部１１８及びロックレバー１１９は、ロック手段を構成している。
【００４２】
ロックレバー１１９は、図示しないコイルバネによって図４において右側から左側に向かって付勢されている。
【００４３】
また、ロックレバー１１９の上面にはなだらかな斜面１１９ａが設けられている。そして、画像読取装置１を閉じる動作を行った場合に、フック部１１８がロックレバー１１９の上面のなだらかな斜面１１９ａに当たることで、フック部１１８を誘い込むように構成されている。
【００４４】
また、フック部１１８と当接しているロックレバー１１９の下面にも斜面１１９ｂが形成されている。ユーザが画像読取装置１を無理に押し上げた場合には、この下面に設けられた斜面１１９ｂによって、ロックレバー１１９は図４において右側へ退避してロックが解除され、ロックレバー１１９が破損しないように構成されている。
【００４５】
また、画像形成装置２には、ロックレバー１１９の突き当て１２０が設けられており、突き当て１２０によって、ロックレバー１１９の水平方向位置が決まる。このことで、ロックレバー１１９と当接しているフック部１１８の上下方向の位置も決まり、閉じ位置における画像読取装置１の画像形成装置２に対する位置も決まる。画像読取装置１が閉じてロックされた状態で、ロックレバー１１９を図４において右側に移動させロックを解除すると、上述したようにシザースリンクユニット１０９，１１０の付勢力によって、画像読取装置１は所定角度まで開く。
【００４６】
なお、画像読取装置１が開いた場合、画像読取装置１の図示しないオープン検知センサによって開状態を検知後、画像読取動作を停止させるので、開いた状態で画像読取装置１の平面度を保証する必要は無い。
【００４７】
以上が、画像読取装置１と画像形成装置２の連結に関する説明である。
【００４８】
次に、画像形成装置２及び画像形成工程について説明する。
【００４９】
図１において、レーザビーム画像形成等の画像形成装置２は、記録材を収納したカセット１２１を有している。また、このカセット１２１は図１において前方から画像形成装置２本体に出し入れ自在に装着されている。
【００５０】
上記カセット１２１の右端部には、ピックアップローラ１２２が内蔵されていて、プリント信号にあわせて、カセット１２１から、記録材を搬送させる。その下流側には、リタードローラ対１２３が設けられている。そして、記録材がリタードローラ対１２３にニップした状態で、リタードローラ対１２３の回転速度を変えることで、ピックアップローラ１２２から送られた記録材のうち一枚のみを取り出して、レジストローラ対１２４まで給送させる。この時点では、レジストローラ対１２４は停止している。
【００５１】
次に、画像を書き出すタイミングに合わせてレジストローラ対１２４を回転させる事により、記録材は画像形成領域へと搬送される。
【００５２】
画像形成領域は、中間転写ベルト１２５と、駆動ローラ１２６と、従動ローラ１２７と、感光ドラム３ａ〜３ｄと、一次転写ローラ４ａ〜４ｄと、レーザスキャナユニット１２８と、中間転写ベルトクリーナ１２９と、二次転写ローラ１３０とによって形成される。ここで、駆動ローラ１２６は、中間転写ベルト１２５を駆動するためのローラである。また、二次転写ローラ１３０は、記録材に画像を転写する為のローラである。
【００５３】
次に、画像形成工程について説明する。
【００５４】
レーザスキャナユニット１２８によって感光ドラム３上に電気的な潜像が書かれた後に、現像ローラによってそれぞれの感光ドラム上の潜像にトナーを付着させる事で潜像を現像する。そして、一次転写ローラ４によって、順次中間転写ベルト１２５上に４色の画像を乗せてゆく。
【００５５】
以上のようにして、中間転写ベルト１２５上に作成されたトナー画像を、二次転写ローラ１３０と中間転写ベルト駆動ローラ１２６のニップによって、記録材上に転写していく
。
【００５６】
中間転写ベルト１２５上に残った余分なトナーは中間転写ベルトクリーナ１２９によって清掃され、次の画像形成工程に備える。以上が画像形成工程である。
【００５７】
その後、記録材は定着ユニットに搬送され、定着器１４０において、熱と圧力が加えられ、記録材にトナー像が定着される。記録材が片面印字（画像形成）の場合には、フラッパ１３１が図１に示す位置に位置するので、記録材は中間搬送路を通って印字面を下側にして排出トレイ１０６上に排出される。
【００５８】
以上が片面印字における画像形成装置２本体の動作である。
【００５９】
次に、両面連続印字時における画像形成装置２本体の動作及び各部の名称について説明する。なお、片面印字にて説明した部分と重複する場合には説明を割愛する。
【００６０】
記録材に両面印字を行うときには、フラッパ１３１が図１に示す位置から時計方向に回転した状態にあり、定着器１４０によりトナー像を定着された記録材は、スイッチバックローラ１３２へ送られる。１面目に画像を形成された記録材はスイッチバックローラ１３２により画像読取装置下面に形成された反転搬送路１０４へ一旦出される。この時、記録材が画像読取装置１の下面に引っかからないように位置精度を保証する必要がある。記録材の後端が定着器１４０から抜けた後に、スイッチバックローラ１３２が逆転して、記録材は２面目印字のための再給送搬送路１０４ａへ搬送される。
【００６１】
上記、再給送搬送路１０４ａ内へ搬送された記録材は、再給送ローラ対１３３にニップしたのち一旦停止して、先端レジストの補正が行われる。その後、記録材はその位置で２面目印字のためのプリント信号がくるのを待つ。
【００６２】
その後、２面目印字の為のプリント信号を画像形成装置２本体が受けると、再給送ローラ対１３３を回転させて、再給送搬送路１０４ａに待機中の記録材をレジストローラ対１２４へ送る。記録材はレジストローラ対１２４を介して画像形成装置２へ送られ２面目印字が行われる。そして、フラッパ１３１の位置を図１に示す位置に戻すことで、記録材は中間搬送路１０５を通って、排出部１０６上に排出される。
【００６３】
以上が、画像形成装置２及び画像形成工程についての説明である。
【００６４】
次に、上述した画像形成装置２において、画像読取装置１の重心１３４、シザースリンクユニット１０９，１１０、ロック機構１０、画像読取装置突き当て部材１３５のそれぞれの配置について図５を用いて説明する。ここで、画像読取装置突き当て部材１３５は、閉じ位置において画像形成装置２に対する画像読取装置１の開閉方向の位置決めを行う位置決め手段を構成している。
【００６５】
図５は本発明を適用できる画像形成装置の上面図である。なお、各部の構成及び機能は上記に説明したので、各ユニットの配置図のみ示す。
【００６６】
シザースリンクユニット１０９，１１０は、ヒンジ部１０７，１０８の両端とロック機構１０に囲まれた三角の仮想領域内（図５において鎖線ａの範囲内）Ａに設ける。ここで、ヒンジ部１０７，１０８の両端とは、図５に示すように、それぞれのヒンジ部１０７，１０８における軸方向外側の端部である。また、ヒンジ部１０７，１０８間にさらにヒンジ部が設けられている場合、すなわち、ヒンジ部が３箇所以上設けられている場合の両端とは、複数のヒンジ部のうちヒンジの回転軸方向において両端に位置する２つのヒンジ部
における回転軸方向外側の端部ということもできる。
【００６７】
また、閉じ位置にある画像読取装置１の重心１３４が、上記した三角の仮想領域外（図５において鎖線ａの範囲外）に位置するように設けられる。
【００６８】
そして、画像読取装置突き当て部材１３５を、上記した三角の仮想領域外であって、ロック機構１０に対して画像読取装置１の重心１３４がある側（図５において二点鎖線ｂよりも左側）に設ける。これは、ヒンジ部の回転軸（又は、両端のヒンジ部を結んだ仮想線）に直交しロック機構１０を通る仮想線に対して、閉じ位置にある画像読取装置１の重心１３４が位置する側であって、上記した仮想領域外に位置するように設けるということもできる。
【００６９】
上記のように構成する事によって、画像読取装置１に上方向（画像形成装置２に対して開放する方向）の反りがある場合においても、画像読取装置１の重心位置と自重によるたわみによって画像読取装置１の反りが矯正される。このことで、画像読取装置１は画像形成装置２に配置された画像読取装置突き当て部材１３５に突き当たる。よって、画像読取装置１のベース部１ａ四隅の平面度を保証する事ができる。
【００７０】
画像読取装置１のベース部１ａの平面度を保証することで、画像読取手段１０１のレールの位置精度も保証されるので、原稿の読取精度を向上させることができる。
【００７１】
ここで、本実施例では、画像読取装置１の下面、すなわちベース部１ａの下面は、上述のように画像形成装置２で画像形成された記録材の両面スイッチバック時の反転搬送路１０４となっている。
【００７２】
従来では、画像読取装置の下面によって記録材の搬送路が形成され、画像読取装置と画像形成装置との間で記録材の搬送が行われる場合、画像読取装置の下面が反った状態では、記録材が引っかかる等の不具合が発生し、ジャムが発生する可能性があった。
【００７３】
これに対して、本実施例では、画像読取装置１のベース部１ａの平面度が保証されるので、反転搬送路の画像形成装置２に対する位置精度も保証され、ジャムの発生率を減少させることができる。
【００７４】
なお、上記は両面印字構成を持つ画像形成装置２について説明したが、片面印字構成の画像形成装置において、画像読取装置１の下面が中間搬送路１０５を形成する場合においても上述した構成と同じ効果を得ることができる。
【００７５】
なお、図６に示すように、一ヶ所のヒンジ部１３８で構成される場合には、ヒンジ部１３８の両端部とロック機構１０に囲まれた範囲は図６に示す範囲となる。この場合においても、上述した構成と同じ位置に各ユニット（画像読取装置の重心１３４、シザースリンクユニット１０９，１１０、ロック機構１０、画像読取装置突き当て部材１３５）を配置することで、上記同様な効果を得ることができる。
【実施例２】
【００７６】
次に、実施例２について説明する。なお、実施例１に説明した構成と重複する場合には、説明を割愛する。
【００７７】
図７は、本実施例における回転支持部として、右側のヒンジ部１４７を拡大した側面図である。
【００７８】
ヒンジ部１４７は画像読取装置１に配置された軸受け部材としての回転中心受け１３７と、画像形成装置２に設けられた軸部材としてのヒンジ中心軸１３６とによって形成される。
【００７９】
回転中心受け１３７には、画像形成装置２に対して画像読取装置１に反りが生じた場合に、ヒンジ中心軸１３６が移動できるようにクリアランスが設けられており、画像読取装置１が画像形成装置２に対して回転可能なように構成されている。すなわち、回転中心受け１３７には、移動部として長丸穴形状（長穴形状）の穴１３７ａが設けられている。本実施例では、穴１３７ａを有する回転中心受け１３７により、画像形成装置が設置された状態で、画像形成装置前後方向（水平方向）の位置決めがなされ、回転中心受け１３７が上下方向（鉛直方向）に移動可能に設けられている。
【００８０】
実施例１の構成（画像読取装置の重心１３４、シザースリンクユニット１０９，１１０、ロック機構１０、画像読取装置突き当て部材１３５の配置）であれば、クリアランスを大きくすることで、画像読取装置１は画像読取装置突き当て部材１３５に当接する。
【００８１】
画像読取装置１が画像形成装置２に当接するために必要なクリアランスの大きさは画像読取装置１の反りの大きさによって変わるので、反りの大きさに影響する使用温度を考慮し、十分にあけておく事が望ましい。
【００８２】
しかし、クリアランス量を０より大きくする事によって、画像読取装置１は画像読取装置突き当て部材１３５に突き当たらないが、画像読取装置１は画像形成装置２に近づく。したがって、反転搬送路１０４の位置精度を向上させ、画像読取装置下面の記録材ジャムの発生率を抑えることができる。
【００８３】
なお、本実施例においては、ヒンジ部１４７のみにクリアランスを持たせる構成としたが、これに限るものではない。すなわち、右側のヒンジ部１４７又は左側に配置されたヒンジ部のうち少なくともどちらか一方にクリアランスを持たせればよく、ヒンジ部が複数設けられている場合には、少なくとも１つのヒンジ部にクリアランスを持たせることにより、同様の効果が得られる。
【００８４】
また、本実施例では、回転中心受け１３７は画像読取装置１に設けられ、ヒンジ中心軸１３６は画像形成装置２に設けられているものであるが、これに限るものではない。すなわち、回転中心受け１３７が画像形成装置２に設けられ、ヒンジ中心軸１３６が画像読取装置１に設けられることによって、ヒンジ部１４７を構成するものであってもよい。すなわち、ヒンジ中心軸１３６が画像形成装置２及び画像読取装置１のうちいずれか一方に設けられ、回転中心受け１３７が画像形成装置２及び画像読取装置１のうちいずれか他方に設けられるものであればよい。このように、ヒンジ部を構成する軸部材（ヒンジ中心軸１３６）と軸受け部材（回転中心受け１３７）において、画像形成装置２に対して画像読取装置１に反りが生じた場合に、軸受け部材に対して軸部材が相対的に移動することができるものであればよい。
【実施例３】
【００８５】
次に、実施例３について説明する。
【００８６】
図２において、オペレーションパネル１３９は画像読取装置１の正面に配置されている。
【００８７】
ユーザが帯電した状態でオペレーションパネルを操作した場合、ユーザが持つ静電気によって、画像読取装置１が誤動作する可能性がある。
【００８８】
そのため、画像読取装置１はオペレーションパネル１３９の両端の近くで電気接点を取ることが望ましい。画像読取装置１の右側は、フック部１１８が配置されており、画像形成装置２と画像読取装置１との間の位置精度が確保できるので確実な接点を取ることができる。しかし、画像読取装置１の左側において、画像読取装置１が上方向に反っている状態では、確実な接点を取る事は難しく、アースが不十分になることが懸念される。
【００８９】
図１０は、アース接点部を説明するための拡大図である。実施例１及び、２で説明した構成に加えて、画像読取装置突き当て部材１３５の近傍にアース接点用の接点端子１５１を配置している。ここで、接点端子１５１は、金属バネ１５０を介して画像形成装置２の金属フレーム部に導通している。また、接点端子１５１を突き当て部材１３５の近傍に設け、かつ、突き当て部材１３５より画像読取装置１側に突出させて画像読取装置１と点接触させている。このように構成する事によって、接点端子１５１を画像読取装置１に確実に突き当てることができるので、画像形成装置２に対する画像読取装置１のアース接点の信頼性をあげる事ができる。
【図面の簡単な説明】
【００９０】
【図１】本発明を適用できる画像形成装置の正面方向断面図である。
【図２】本発明を適用できる画像読取装置開放時の斜視図である。
【図３】実施例１においてシザースリンクユニットを説明するための拡大図である。
【図４】実施例１においてロック機構を説明するための拡大図である。
【図５】本発明を適用できる画像形成装置の上面図である。
【図６】実施例１において、ヒンジ部が１ヶ所の場合における上面図である。
【図７】実施例２において、ヒンジ部を説明するための拡大図である。
【図８】従来例を説明するための図である。
【図９】従来例を説明するための図である。
【図１０】実施例３において、アース接点部を説明するための拡大図である。
【符号の説明】
【００９１】
１  画像読取装置
２  画像形成装置
１０  ロック機構
１０７，１０８  ヒンジ部
１０９，１１０  シザースリンクユニット
１１８  フック部
１１９  ロックレバー
１３４  画像読取装置の重心
１３５  画像読取装置突き当て部材
１３８  ヒンジ部
Ａ  仮想領域内
ｂ  仮想線
【図１】
2008241916.tif 000003
【図２】
2008241916.tif 000004
【図３】
2008241916.tif 000005
【図４】
2008241916.tif 000006
【図５】
2008241916.tif 000007
【図６】
2008241916.tif 000008
【図７】
2008241916.tif 000009
【図８】
2008241916.tif 000010
【図９】
2008241916.tif 000011
【図１０】
2008241916.tif 000012